(57)【要約】 【課題】球抜き時において計数センサーが球を計数してしまうことがない球タンクの球抜き装置を提供する。【解決手段】パチンコ機の球タンクの一側に配設された球払出装置に連設される球抜き装置であって、賞球通路４２と球抜き通路４３とが形成された球通路部材４と、球通路部材４の一側に配置された球抜きスイッチ５と、球払出装置から送り込まれた球を賞球通路４２又は球抜き通路４３に切り替えて送り込むための切替レバー６と、切替レバー６の回動により上下方向に回動されるシーソー構造の球抜きレバー７とからなり、前記球抜きレバー７の一端には切替レバー６によって押し下げられる球抜きスイッチ作動片７３を設け、球抜きレバー７の他端には球通路部材４の球供給通路４１から上方に持ち上げられる計数センサー７５を配設した。【選択図】  図７
2012139273.tif 000002
【特許請求の範囲】
【請求項１】
パチンコ機の球タンクの端部に配設され、一球ずつ球を送り出す払出部材を有する球払出装置に連設される球抜き装置であって、球払出装置から送り出された球を計数する計数センサーと、賞球通路と球抜き通路とが形成された球通路部材と、計数センサーの下流に位置し球払出装置から送り込まれた球を賞球通路又は球抜き通路に切り替えて送入するための切替レバーと、切替レバーの回動により上下方向に回動されるシーソー構造の球抜きレバーと、払出部材を作動させるための球抜きスイッチと、からなり、
前記球抜きレバーの一端には切替レバーによって押し下げられる球抜きスイッチ作動片を設け、球抜きレバーの他端には球抜き時に球払出装置の球出口から上方に持ち上げられる計数センサーを配設したことを特徴とする球抜き装置。
【請求項２】
前記払出部材を螺旋状の凹溝が形成された螺旋棒として、この螺旋棒の回転により凹溝に取り込んだ球を一球ずつ揚送するようにしたことを特徴とする請求項１に記載の玉抜き装置。
【請求項３】
切替レバーは、回動操作用の摘み部と、球通路切替弁と、球抜きレバー回動用の係合片とを有し、球抜きレバーは一端に、切替レバーの係合片と係合して球抜きレバーを下方に回動させるための傾斜面を有していることを特徴とする請求項１又は２に記載の球抜き装置。
【発明の詳細な説明】
【技術分野】
【０００１】
本発明は、点検時などにパチンコ機の球タンクから球を抜くための球抜き装置に関するものである。
【背景技術】
【０００２】
球タンク内の球を一球ずつ送出することができる球払出装置として、特許文献１に開示されたものがある。このものは、内周壁に球一個分の幅を有する凹溝が螺旋状に形成された筒状体と、モーターとを備えており、モーターにより筒状体を回転させることにより筒状体の下部に流入した球を螺旋状の凹溝により一球ずつ斜め上方に揚送することができる。
【０００３】
以上のような球払出装置において、球詰まりなどのトラブル時や点検時などには、球タンク内や球払出装置内の球を抜く必要がある。しかしながら、この球払出装置においては、筒状体の球出口に球計数用のセンサーが配設されているため、球抜き時に球がセンサーを通過する。このため静電気等が原因となり抜き取り球を賞球としてカウントする等の誤作動を起こしてしまうという恐れがあった。
【先行技術文献】
【特許文献】
【０００４】
【特許文献１】特開２００８−２５９５６７号公報    （図１）
【発明の概要】
【発明が解決しようとする課題】
【０００５】
本発明は、上記した従来の問題点に鑑み、球抜き時において計数センサーが球を計数してしまうことがない球タンクの球抜き装置を提供することを課題とする。
【課題を解決するための手段】
【０００６】
上記の課題を解決するためになされた本発明に係る球抜き装置は、パチンコ機の球タンクの端部に配設され、一球ずつ球を送り出す払出部材を有する球払出装置に連設される球抜き装置であって、球払出装置から送り出された球を計数する計数センサーと、賞球通路と球抜き通路とが形成された球通路部材と、計数センサーの下流に位置し球払出装置から送り込まれた球を賞球通路又は球抜き通路に切り替えて送入するための切替レバーと、切替レバーの回動により上下方向に回動されるシーソー構造の球抜きレバーと、払出部材を作動させるための球抜きスイッチと、からなり、
前記球抜きレバーの一端には切替レバーによって押し下げられる球抜きスイッチ作動片を設け、球抜きレバーの他端には球抜き時に球払出装置の球出口から上方に持ち上げられる計数センサーを配設したことを特徴とするものである。
【０００７】
上記した発明において、前記払出部材を螺旋状の凹溝が形成された螺旋棒として、この螺旋棒の回転により凹溝に取り込んだ球を一球ずつ揚送するようにできる。さらに、切替レバーは、回動操作用の摘み部と、球通路切替弁と、球抜きレバー回動用の係合片とを有し、球抜きレバーは一端に、切替レバーの係合片と係合して球抜きレバーを下方に回動させるための傾斜面を有するものとすることができる。
【発明の効果】
【０００８】
請求項１に係る発明は、球抜き時に切替レバーを回動して賞球通路から球抜き通路に切り替えると、球抜きレバーの一端が押し下げられる。この一端に設けられた球抜きスイッチ作動片が球抜きスイッチを押下してオンされて、球払出装置が球タンク内の球を球抜き通路に送り込む。シーソー構造の球抜きレバーの他端には計数センサーが配設されており、この計数センサーは球抜きレバーの一端の押し下げによって上昇されて球供給通路から引き離されるので、計数センサーが抜き取り球を賞球として計数してしまうことがない。
【０００９】
請求項２に係る発明は、賞球払い出し時又は球抜き時に螺旋棒が回転されて、凹溝内に取り込んだ球タンク内の球を一球ずつ揚送することができる。
【００１０】
請求項３に係る発明は、賞球通路が開放されている状態で摘み部を回動操作すると、球通路切替弁が賞球通路を閉鎖し球抜き通路を開放するとともに、係合片が球抜きレバーの一端の傾斜面を押し下げるので、球抜きレバーの他端が上昇されて、計数センサーが球供給通路から引き離される。切替レバーを逆方向に回動すると、傾斜面の押し下げが解除されるので、球抜きレバーの他端が自重により降下されて元の状態に復帰する。
【図面の簡単な説明】
【００１１】
【図１】球抜き装置が備えられた球タンクの斜視図である。
【図２】要部を拡大して示す斜視図である。
【図３】要部の長手方向の垂直断面図である。
【図４】球払出装置の垂直断面図である。
【図５】球抜き通路が閉鎖状態にある球抜き装置の斜視図である。
【図６】球抜き通路が閉鎖状態にある球抜き装置の平面図である。
【図７】球抜き通路が開放状態にある球抜き装置の斜視図である。
【図８】球抜き通路が開放状態にある球抜き装置の平面図である。
【図９】計数センサーが上昇された状態にある球抜き装置の側面図である。
【発明を実施するための形態】
【００１２】
以下に、本発明の実施形態に付いて説明する。
図１は、本発明の球抜き装置が配設された球タンクを示す図であって、１は球タンク、２は球タンク１の下流側端部に配設された球払出装置、３は球払出装置に連設された球抜き装置である。以下、球タンク１側を上流、球抜き装置３側を下流とし、上下、左右および前後は、図１の状態を基準として説明する。
【００１３】
図２〜４に、球払出装置２の構造を示す。球払出装置２は筐体２１の内部に立設された螺旋棒２２と、螺旋棒２２の前後に隣接して立設された揚送通路２８とを有する。螺旋棒２２は、ギア２４、２５を介してモーター２３により回転される。球タンク１の下流側端部の底面１１は球タンク１の前後左右から螺旋棒２２に向かって低く傾斜されているので、球はそれぞれの揚送通路２８に向かって流れ込む（図４）。螺旋棒２２は遊技球の直径以上の幅の螺旋状の凹溝を有しているので凹溝に球が入り込み、回転することによって流れ込んだ球を揚送通路２８に沿って上方に揚送する。揚送通路２８の上部には待機空間２６が設けられており、揚送された球は、段差２７により足止めされて、次の球により押し出されるまで一瞬待機空間２６に留められて、前後の球同士の間に計数用の隙間が設けられる。
【００１４】
球抜き装置３の構造を、図１、２、５、６に示す。球抜き装置３は、球通路部材４と、球通路部材４の後方に配置された球抜きスイッチ５と、球払出装置２から送り込まれた球を賞球又は抜き取り球とに切り替えるための切替レバー６と、切替レバー６の回動により上下方向に回動される球抜きレバー７とからなる（図１）。
【００１５】
球通路部材４には、上流側の２本の球供給通路４１と、下流側の賞球通路４２と球抜き通路４３とが形成されている。賞球通路４２と球抜き通路４３の入口には、球供給通路４１から流れ込んだ球を賞球通路４２又は球抜き通路４３に振り分けるための切替レバー６が水平回動自在に立設されている（図５、６）。
【００１６】
切替レバー６は、中心の支軸６１と、回動操作用の摘み部６２と、支軸６１の下部の球通路切替弁６３と、支軸６１の上部の球抜きレバー７回動用の係合片６４とを有している。図５、６に示す状態においては、球抜き通路４３の入口は球通路切替弁６３によって閉鎖され賞球通路４２の入口は開放されているので、２本の球供給通路４１を流下した球は賞球通路４２に流れ込むこととなる。なお、螺旋棒２２によって前後それぞれの揚送通路２８からは交互に送り出されるので、賞球通路４２において球は自然と一列になる。
【００１７】
球抜きレバー７は、支軸７１を中心に上下方向に回動するシーソー構造のものであって、切替レバー６側の一端に切替レバー６との係合部７２が設けられ、この係合部７２の端部には球抜きスイッチ作動片７３が設けられている。係合部７２には、球抜きスイッチ作動片７３の方向に向けて高く傾斜する傾斜面７４が形成されている。支軸７１を挟んで球抜きレバー７の他端には、計数センサー７５が配設されており、賞球払い出し時においては、球抜きレバー７の他端は降下されており、球検出部７６は切替レバー６よりも上流の球供給通路４１に臨んでいて球供給通路４１を通過する賞球を計数することができる（図２）。計数センサー７５として、フォトセンサー、磁気センサーなどを用いることができる。
【００１８】
以上のような球抜き装置において、点検などで球タンク１内の球を抜く必要が生じたときは、図７、８に示すように、切替レバー６を時計回り方向に回動する。これによって、
球通路切替弁６３が球抜き通路４３の入口を開放し賞球通路４２の入口を閉鎖すると同時に、係合片６４が傾斜面７４を押し下げつつ摺動するので、球抜きレバー７の一端が押し下げられる。これによって球抜きスイッチ作動片７３が球抜きスイッチ５を押圧してオンとする。球抜きスイッチ５のオンとともにモーター２３が駆動されて、一球ずつ球を送り出す払出部材としての螺旋棒２２が球タンク１内の球を揚送して、球供給通路４１、球抜き通路４３を通過させて球抜きを行うことができる。
【００１９】
球抜きレバー７の一端が押し下げられると同時にその他端が上昇されるので、他端に設けた計数センサー７５の球計数部７６は持ち上げられて、球供給通路４１から引き離される。よって、計数センサー７５が抜き取り球を賞球として計数してしまうことはない。
【００２０】
点検等の作業完了後は、切替レバー６を反時計方向に回動する。これによって、球通路切替弁６３が球抜き通路４３の入口を閉鎖し賞球通路４２の入口を開放する。これとともに係合片６４が傾斜面７４を押し下げる力が解除されるので、玉抜きレバー７の一端が上昇されるとともに、他端が降下されて計数センサー７５の球計数部７６が球供給通路７６にセットされて、賞球払い出し可能な状態に復帰させることができる。
【符号の説明】
【００２１】
４  球通路歩部材、５  球抜きスイッチ、６  切替レバー、７  球抜きレバー、４１  球供給通路、４２  賞球通路、４３  球抜き通路、７３  球抜きスイッチ作動片、７５  計数センサー
【図１】
2012139273.tif 000003
【図５】
2012139273.tif 000004
【図６】
2012139273.tif 000005
【図７】
2012139273.tif 000006
【図８】
2012139273.tif 000007
【図９】
2012139273.tif 000008
【図２】
2012139273.tif 000009
【図３】
2012139273.tif 000010
【図４】
2012139273.tif 000011